(57)【要約】【課題】傘に加工を施すことなく着脱可能に装着して、風圧による傘の逆開き破損を防止し得る傘の逆開き破損防止具を提供する。【解決手段】傘の握柄部若しくは支柱部に設けた引掛部材と多数の枝小骨の先端とに紐材の両端部を引掛けて傘の逆開き破損を防止するにおいて、引掛部材１を半円弧状の二つのアームプレート２，２の片端部を蝶番３の方式で接合して開閉自在とし、アームプレート２，２の内径壁に弾性質のパッド１０，１０を貼着して別端部に設けたボルト４を切欠穴６に入れ、ボルト４に螺合された蝶ナット７を締め付けることにより傘の握柄部若しくは支柱部に装着して、アームプレート２，２の上端円弧部に設けた引掛部２ａ，２ａより傘の枝小骨に着脱自在に差込む差込キャップ９，９，…とを紐材８，８，…で引張って風圧による逆開き破損を防止する傘の逆開き破損防止具。【選択図】図１
0003107166.tif 000002
【実用新案登録請求の範囲】
【請求項１】
傘の握柄部若しくは支柱部に設けた引掛部材と多数の枝小骨の先端とに紐材の両端部を引掛けて傘の逆開き破損を防止するにおいて、前記引掛部材を開閉可能な二つのアームプレートで傘の握柄部若しくは支柱部を挟持するように締め付けて装着するように構成されてなることを特徴とする傘の逆開き破損防止具。
【請求項２】
引掛部材は、上端円弧部に多数の引掛部を設けた半円弧状の二つのアームプレートの片端部が蝶番式に接合され、半円弧状の内径壁には傘の握柄部若しくは支柱部の外径に密着すべく弾性質のパッドが貼着されて、前記アームプレートの別端部を開閉可能にして締め付ける構成にしてなることを特徴とする請求項１記載の傘の逆開き破損防止具。
【請求項３】
紐材は、コイル状に巻かれた伸縮自在なバネの内径に挿通させた紐材を、バネが縮んだ状態でバネの内径内でたわませて、バネの両端部が紐材に固着された紐材にしてなることを特徴とする請求項１又は請求項２記載の傘の逆開き破損防止具。
【考案の詳細な説明】
【技術分野】
【０００１】
本考案は、傘に着脱可能に装着して、暴風雨時の風圧による傘の逆開き破損を防止するようにした傘の逆開き破損防止具に関するものである。
【背景技術】
【０００２】
台風など暴風時においては、使用している傘が風圧を受けて逆開きし、傘の多数の枝小骨が変形したり、破損したりして使用不能になる例を良く見受ける。
風圧による傘の逆開きの防止と、傘を使用する者の人身の安全を得るべく、傘の枝小骨の先端を紐等で引張って固定するようにすると共に、傘本体の円形となる頂部付近に風の吹抜け窓口を設けた傘の逆開き防止装置が開示されている（例えば特許文献１参照）。
【特許文献１】特開平０９−２８５３２５号公報
【考案の開示】
【考案が解決しようとする課題】
【０００３】
しかしながら、上記特許文献１に開示された傘の逆開き防止装置は、傘の握柄の上端部に加工を施して複数の側帯枝柱を取付け、該側帯枝柱と傘の枝小骨の先端を紐等で引張って固定することにより傘の逆開きを防止するようにすると共に、傘本体の円形となる頂部付近に風の吹抜け窓口を設けてあるから、不用の時に容易に元の状態に戻し難く、常時取付けたままの状態で携帯しなければならないこと、及び既製の傘に容易に適用できない問題点を有している。
よって、このような問題点を解消し得る傘の逆開き破損防止具を提供することを本考案が解決しようとする課題とするものである。
【課題を解決するための手段】
【０００４】
上記課題を達成すべく、本考案は以下に記載するような手段を講じてなる傘の逆開き破損防止具とするものである。
すなわち、
（１）傘の握柄部若しくは支柱部に設けた引掛部材と多数の枝小骨の先端とに紐材の両端部を引掛けて傘の逆開き破損を防止するにおいて、前記引掛部材を開閉可能な二つのアームプレートで傘の握柄部若しくは支柱部を挟持するように締め付けて装着する構成にしてなることを特徴とする傘の逆開き破損防止具。
（２）引掛部材は、上端円弧部に多数の引掛部を設けた半円弧状の二つのアームプレートの片端部が蝶番式に接合され、半円弧状の内径壁には傘の握柄部若しくは支柱部の外径に密着すべく弾性質のパッドが貼着されて、前記アームプレートの別端部を開閉可能にして締め付ける構成にしてなることを特徴とする前項（１）記載の傘の逆開き破損防止具。
（３）紐材は、コイル状に巻かれた伸縮自在なバネの内径に挿通させた紐材を、バネが縮んだ状態でバネの内径内でたわませて、バネの両端部が紐材に固着された紐材にしてなることを特徴とする前項（１）又は（２）記載の傘の逆開き破損防止具。
【考案の効果】
【０００５】
本考案は上記手段にて記載する如く、傘の握柄部若しくは支柱部に設けた引掛部材と多数の枝小骨の先端とに紐材の両端部を引掛けて傘の逆開き破損を防止するにおいて、前記引掛部材を開閉可能な二つのアームプレートで傘の握柄部若しくは支柱部を挟持するように締め付けて装着する構成であるから、傘の握柄部若しくは支柱部に加工を施すことなく着脱自在に装着でき、不用の時は取り外して元の状態で使用できると共に、既製の傘への適用が容易となる。
【０００６】
又、傘の握柄部若しくは支柱部に装着する引掛部材を、上端円弧部に多数の引掛部を設けた半円弧状の二つのアームプレートの片端部を蝶番式に接合し、半円弧状の内径壁には傘の握柄部若しくは支柱部の外径に密着すべく弾性質のパッドを貼着して、アームプレートの別端部を開閉可能にして締め付ける構成にすることにより、傘の握柄部若しくは支柱部に傷付くことなくしっかりと装着することができる。
【０００７】
更に、紐材を、コイル状に巻かれた伸縮自在なバネの内径に挿通させ、バネが縮んだ状態でバネの内径内でたわませて、バネの両端部を紐材に固着することにより、風圧によりバネが伸縮して傘の握柄や支柱の受ける抵抗が緩和されると共に、逆開きしても傘の枝小骨が変形又は折損する前に紐材で阻止できるから、破損を防止できる。
【考案を実施するための最良の形態】
【０００８】
本考案を実施するための最良の形態は、傘の握柄部若しくは支柱部に設けた引掛部材と多数の枝小骨の先端とに紐材の両端部を引掛けて傘の逆開き破損を防止するにおいて、前記引掛部材は、上端円弧部に多数の引掛部を設けた半円弧状の二つのアームプレートの片端部が蝶番式に接合され、半円弧状の内径壁には傘の握柄部若しくは支柱部の外径に密着すべく弾性質のパッドが貼着されて、前記アームプレートの別端部を開閉可能にして締め付けるようにした傘の逆開き破損防止具であり、以下実施例にて図面を参照して説明する。
【実施例１】
【０００９】
図１は、本考案に係る傘の逆開き破損防止具の実施例を示す図面であり、図示するように傘の握柄部若しくは支柱部に装着する引掛部材１は、半円弧状の二つのアームプレート２，２の片端部が蝶番３の方式で接合され、別端部は延出されてボルト４が二つのアームプレート２，２の片方に軸５で回動自在に軸支され、別方にはボルト４を嵌入させる切欠穴６が設けられて、二つのアームプレート２，２が開閉自在となっており、ボルト４を切欠穴６に入れてボルト４に螺合された蝶ナット７を締め付けることにより、傘の握柄部若しくは支柱部を挟持するようにしてある。
【００１０】
前記アームプレート２，２の上端円弧部には、傘の枝小骨の数に合わせて多数の引掛部２ａ，２ａ，…が設けてあり、該引掛部より紐材８，８，…が引掛金具８ａ，８ａ，…を介して延出され、紐材８，８，…の延出端には引掛金具８ｂ，８ｂ，…を介して傘の枝小骨に着脱自在に差込めるようにした差込キャップ９，９，…が設けてある。
【００１１】
又、前記アームプレート２，２の内径壁には、弾性質のパッド（当て材）１０，１０が貼着されており、アームプレート２，２を閉じた時にパッド１０，１０の内径壁部１０ａ，１０ａが傘の握柄部若しくは支柱部に密着するようにしてあり、ボルト４を切欠穴６に入れて螺合された蝶ナット７を締め付けることにより、傘の握柄部若しくは支柱部に傷付くことなくしっかりと装着される。
【００１２】
紐材８は、天蚕糸のようなフレキシブルで強度のある紐材で、両端部には引掛金具８ａ，８ｂが取付けてあり、風圧を受けた時の傘の握柄や支柱の受ける抵抗を緩和し、且つ逆開きによる枝小骨の変形又は折損を防止するためには、図１の（Ｂ）に示すようにコイル状に巻かれた伸縮自在なバネ１１の内径に挿通させ、バネ１１が縮んだ状態でバネの内径内でたわませて、バネ１１の端部１１ａ，１１ａをソケットリング１２，１２でかしめるなどして固着する。
【００１３】
図２，図３は、以上のようにしてなる傘の逆開き破損防止具を傘１３に装着した例を示すものであり、引掛部材１は傘の握柄１３ａの上端部に、開閉可能な二つのアームプレート２，２をボルト４に螺合された蝶ナット７で締め付けることにより握柄１３ａを挟持するように装着されている。蝶ナット７を緩め、ボルト４を手前に引いて外せばアームプレート２，２は開き、容易に握柄１３ａから外れる。
なお、本実施例では傘の握柄１３ａに引掛部材１を装着した例であるが、支柱１３ｂの部分にも同様に装着できる。この場合、握柄１３ａと支柱１３ｂとでは外径が異なるので、アームプレート２，２の内径壁に貼着するパッド（当て材）１０，１０を支柱１３ｂの外径と合致するものに取替える必要がある。
【００１４】
アームプレート２，２の上端円弧部に設けられた引掛部２ａ，２ａ，…には、紐材８，８，…の一端に設けられた引掛金具８ａが引掛けられ、別端部に設けられた引掛金具８ｂが、傘の枝小骨１３ｃ，１３ｃ，…の先端部に差込まれた差込キャップ９，９，…に引掛けられて引張った状態となっており、風圧を受けた時の傘１３の逆開きが阻止されるようになっている。傘の枝小骨は放射状に多数設けてあるのが一般的であり、全ての枝小骨の先端部を紐材で引張っても良いが、枝小骨の数の多い傘においては一つ置きに引張るようにしても良い。
【００１５】
図３は、図１の（Ｂ）に示す紐材８を使用し、風圧を受けた時の状態であり、風圧を受けて傘１３は逆開きするが、枝小骨１３ｃは一般的に弾力性があり、弾性限界範囲内では曲がっても元の状態に戻る。その弾性限界範囲内でバネ１１により風圧を緩和し、弾性限界の寸前で紐材８で引張るようにすれば枝小骨１３ｃの変形や折損はなく傘の逆開き破損が防止されると共に、傘の握柄や支柱の受ける抵抗が緩和し、使用者の安全性は増す。
【産業上の利用可能性】
【００１６】
本考案は、人が把持して使用する傘のみならず、スタンドや棒を立てたパラソルやテント等にも利用の可能性がある。
【図面の簡単な説明】
【００１７】
【図１】本考案に係る傘の逆開き破損防止具の実施例を示す図面で、（Ａ）は全体の斜視図、（Ｂ）は紐材に伸縮自在なバネを付着させた要部側断面図である。
【図２】本考案に係る傘の逆開き破損防止具を傘に装着した例を示す側面図である。
【図３】伸縮自在なバネを付着させた紐材にして傘に装着した例を示す側面図である。
【符号の説明】
【００１８】
１  引掛部材
２  アームプレート
２ａ  引掛部
３  蝶番
４  ボルト
５  軸
６  切欠穴
７  蝶ナット
８  紐材
８ａ，８ｂ  引掛金具
９  差込キャップ
１０  パッド
１０ａ  内径壁部
１１  バネ
１１ａ  端部
１２  ソケットリング
１３  傘
１３ａ  握柄
１３ｂ  支柱
１３ｃ  枝小骨
【図１】
0003107166.tif 000003
【図２】
0003107166.tif 000004
【図３】
0003107166.tif 000005